(57)【要約】【課題】  空気調和機の室内機において、プレフィルターによる微細ホコリの集塵効果を向上させる。【解決手段】  本発明の空気調和機の室内機は、吸入口を有する本体と、本体内に設置される熱交換器と、吸入口内側に設置されるプレフィルターとを備え、プレフィルターは、導電性金属網からなり、該金属網が接地されるようにする。【選択図】      図３
2006162237.tif 000002
【特許請求の範囲】
【請求項１】
吸入口を有する本体と、該本体内に設置される熱交換器と、前記吸入口内側に設置されるプレフィルターと、を備える空気調和機の室内機において、
前記プレフィルターは、導電性金属網からなり、該金属網は接地されることを特徴とする空気調和機の室内機。
【請求項２】
前記プレフィルターと接触可能に前記熱交換器に設置される導電性接地部材と、
該接地部材を介して前記プレフィルターを接地させるために前記熱交換器に接続される接地線とをさらに備えることを特徴とする請求項１に記載の空気調和機の室内機。
【請求項３】
前記接地部材は、前記熱交換器に固定される固定部と、該固定部から前記プレフィルター側に延在して前記プレフィルターと接する接続部とを備え、
前記プレフィルターは、前記接続部が進入して接続される接続溝を有することを特徴とする請求項２に記載の空気調和機の室内機。
【請求項４】
前記接続部は、弾性を持つ金属板からなり、前記固定部から前記接続溝側に延在する第１接続部と、前記第１接続部の先端から前記熱交換器側に折り曲げられて所定長さだけ延在する第２接続部とを備えることを特徴とする請求項３に記載の空気調和機の室内機。
【請求項５】
前記第１及び第２接続部は、前記熱交換器側から前記プレフィルター側に行くにつれてその幅が縮まることを特徴とする請求項４に記載の空気調和機の室内機。
【請求項６】
前記第１及び第２接続部は、前記熱交換器側から前記プレフィルター側に凝縮水が流下する現象を防止するように、上端に折り曲げ部が形成されたことを特徴とする請求項４に記載の空気調和機の室内機。
【発明の詳細な説明】
【技術分野】
【０００１】
本発明は、空気調和機の室内機に関し、より詳細には、プレフィルターによる微細ホコリの集塵効率を向上させうる空気調和機の室内機に関する。
【背景技術】
【０００２】
一般に、建物の壁に設置される空気調和機の室内機は、室内空気の吸入のために前面上部に形成される吸入口と、内部で調和された空気の吐出のために前面下部に形成される吐出口と、を有する。また、室内機の内部には、空気の熱交換のための熱交換器と、空気の送風のための送風装置とが設置されており、吸入口の内側には、吸入される空気中の異物をろ過するための網目のプレフィルターが設置されている。
【０００３】
しかしながら、このような室内機は、通常、吸入空気をろ過するプレフィルターが樹脂材質の格子網で構成され、よって、微細ホコリが通過し、集塵効率が低下するという欠点があった。
【０００４】
そこで、特許文献１に開示した空気調和機の室内機では、プレフィルターの内側に別途の電気集塵装置を設置し、微細ホコリの集塵を可能にした。しかしながら、特許文献１の室内機は、電気集塵フィルターを別途設置しなければならず、製造コストの上昇と構造の複雑化という問題があった。
【特許文献１】日本国公開特許公報平２００３−２６９７３７号
【発明の開示】
【発明が解決しようとする課題】
【０００５】
本発明の目的は、上記事情に鑑みて、プレフィルターによる微細ホコリの集塵効果を向上させうる空気調和機の室内機を提供することにある。
【０００６】
本発明の他の目的は、別途の電気集塵フィルターを使用しないことによって室内機の製造コストを節減しながらも、優れた微細ホコリの集塵効果が得られる空気調和機の室内機を提供することにある。
【課題を解決するための手段】
【０００７】
上記の目的を達成するために、本発明による空気調和機の室内機は、吸入口を有する本体と、該本体内に設置される熱交換器と、前記吸入口内側に設置されるプレフィルターと、を備える空気調和機の室内機であって、前記プレフィルターは、導電性金属網からなり、該金属網は接地されることを特徴とする。
【０００８】
また、前記空気調和機の室内機は、前記プレフィルターと接触可能に前記熱交換器に設置される導電性接地部材と、該接地部材を介して前記プレフィルターを接地させるために前記熱交換器に接続される接地線と、をさらに備えることを特徴とする。
【０００９】
前記接地部材は、前記熱交換器に固定される固定部と、該固定部から前記プレフィルター側に延在して前記プレフィルターと接する接続部とを備え、前記プレフィルターは、前記接続部が進入して接続される接続溝を有することを特徴とする。
【００１０】
前記接続部は、弾性を持つ金属板からなり、前記固定部から前記接続溝側に延在する第１接続部と、前記第１接続部の先端から前記熱交換器側に折り曲げられて所定長さだけ延在する第２接続部とを備えることを特徴とする。
【００１１】
また、前記第１及び第２接続部は、前記熱交換器側から前記プレフィルター側に行くにつれてその幅が縮まることを特徴とする。
【００１２】
また、前記第１及び第２接続部は、前記熱交換器側から前記プレフィルター側に凝縮水が流下する現象を防止するように、上端に折り曲げ部が形成されたことを特徴とする。
【発明の効果】
【００１３】
本発明による空気調和機の室内機は、導電性金属網からなるプレフィルターを接地させることによって、プレフィルターと吸入されるホコリ粒子間に静電気的作用が起こるようにしたため、プレフィルターによる微細ホコリの集塵効果が向上する効果が得られる。
【００１４】
また、本発明は、別途の電気集塵フィルターを使用せずともプレフィルターによる微細ホコリの集塵効果を高めることができるため、室内機の製造コスト低減を図ることが可能になる。
【発明を実施するための最良の形態】
【００１５】
以下、本発明による好ましい実施形態を、添付図面に基づき詳細に説明する。
【００１６】
本発明による空気調和機の室内機は、図１及び図２に示すように、建物の壁に固定される後面パネル１１と、後面パネル１１の前方に結合される前面パネル１２とを有する本体１０を備える。また、本体１０の内部には、吸入空気の熱交換のための熱交換器１３及び空気の送風のための送風装置が設置される。
【００１７】
前面パネル１２は、前面の大部分と上面に室内空気の吸入のための吸入口１２ａが形成され、下端には、調和された空気の排出のために横方向に長く吐出口１２ｂが形成される。また、前面パネル１２の吸入口１２ａの前方には、複数の通風口１５ａ，１５ｂを有し、前面パネル１２の上部に回動自在に装着される吸入グリル１５が設置され、吸入グリル１５の内側には、吸入される空気中の異物をろ過するプレフィルター１６が設置される。
【００１８】
熱交換器１３は、吸入口１２ａを通じて吸入される空気の熱交換のために横方向に長く形成される。また、熱交換器１３は、本体１０内部の後方上部から前方下部に至る上下幅を有し、上端が後面パネル１１の内側上部に支持され、下端が前面パネル１２の内側下部に支持される。
【００１９】
送風装置は、熱交換器１３の後方に設置され、横方向の長さが長い横流型送風ファン１７と、送風ファン１７を駆動するように後面パネル１１に装着され、送風ファン１７と軸を介して接続される駆動モーター１８とを備える。
【００２０】
このように構成される空気調和機の室内機では、駆動モーター１８の作動により送風ファン１７が回転し、これにより、吸入グリル１５側から室内空気が吸入され、吸入された空気は、熱交換器１３と送風ファン１７を通過した後に、吐出口１２ｂから再び室内に供給される。このときに、吸入空気は熱交換器１３を通過しつつ冷たい空気(または暖かい空気)となり、この空気が吐出口１２ｂから室内に供給されることで、室内空間の空気調和がなされる。
【００２１】
吸入空気中のホコリなどの異物は、吸入口１２ａ側のプレフィルター１６を通過しつつろ過されるが、本発明では、プレフィルター１６によるホコリの集塵効果を高めるために、プレフィルター１６を導電性金属網で構成し、かつ、接地させている。このように金属性プレフィルター１６を接地させると、ホコリ粒子とプレフィルター１６間に静電気的作用が起こり、この結果、プレフィルター１６による微細ホコリの集塵効果が向上する。すなわち、プレフィルター１６を接地させて電気的に‘−’極性を帯びさせることによって、ホコリ粒子中の‘＋’電荷の粒子が金属性プレフィルター１６に付着されるようにし、プレフィルター１６によるホコリの集塵効果を向上させるのである。
【００２２】
したがって、熱交換器１３には、図３及び図４に示すように、プレフィルター１６と接触可能な導電性接地部材２０と、接地部材２０を介してプレフィルター１６を接地させるために設けられた接地線３０が接続される。つまり、接地部材２０、熱交換器１３、接地線３０を介してプレフィルター１６の接地がなされる。
【００２３】
接地部材２０は、金属板を折り曲げ成形して得たものであり、熱交換器１３に固定される固定部２１と、プレフィルター１６と接触するように固定部２１からプレフィルター１６側に延在する接続部２２とを有する。そして、プレフィルター１６には接地部材２０の接続部２２が進入して接続される接続溝１６ａが形成される。
【００２４】
接地部材の接続部２２は、弾性を持つ金属板からなり、固定部２１から接続溝１６ａ側に延在する第１接続部２２ａと、第１接続部２２ａの先端から熱交換器１３側に折り曲げられて所定長さだけ延在する第２接続部２２ｂとを備える。また、第１接続部２２ａと第２接続部２２ｂは、熱交換器１３側からプレフィルター１６側に行くにつれてその幅が縮まるように形成される。
【００２５】
このように接続部２２を構成するのは、プレフィルター１６の掃除のためにプレフィルター１６を本体１０から／に分離／装着するときに、接地部材２０の接続部２２とプレフィルター１６の接続溝１６ａ間の接続を容易にするためである。また、プレフィルター１６が装着される際に、第１及び第２接続部２２ａ，２２ｂの弾性により接続部２２の先端両側がプレフィルター１６の接続溝１６ａに密着され、円滑に接続されるようにするためである。
【００２６】
また、第１接続部２２ａと第２接続部２２ｂの上端には、熱交換器１３側からプレフィルター１６側に凝縮水が流れる現象を防止するための折り曲げ部２３が形成される。ここで、折り曲げ部２３は、接続溝１６ａに結合される接続部２２の先端の高さよりも低く形成する。これは、熱交換器１３から流下する凝縮水が接地部材２０に沿ってプレフィルター１６側に流れる現象を防止し、これにより、本体１０の前面側に凝縮水が漏れる現象を防止するためである。すなわち、熱交換器１３側からプレフィルター１６側へ接地部材２０に沿って流れる凝縮水が折り曲げ部２３に至ると、それ以上プレフィルター１６側に流れず落下するようにすることによって、凝縮水が熱交換器１３下部の凝縮水受け１９(図２参照)に溜まるようにしたものである。
【図面の簡単な説明】
【００２７】
【図１】本発明による空気調和機の室内機の構成を示す分解斜視図である。
【図２】本発明による空気調和機の室内機の構成を示す断面図である。
【図３】本発明による空気調和機の室内機の接地部材とプレフィルターの接続構造を示す斜視図である。
【図４】図２に示す“Ａ”部の詳細図である。
【符号の説明】
【００２８】
１０    本体
１１    後面パネル
１２    前面パネル
１２ａ  吸入口
１２ｂ  吐出口
１３    熱交換器
１５    吸入グリル
１５ａ、１５ｂ  通風口
１６    プレフィルター
１６ａ  接続溝
１７    送風ファン
１８    駆動モーター
２０    導電性接地部材
２１    固定部
２２    接続部
２２ａ  第１接続部
２２ｂ  第２接続部
２３    折り曲げ部
３０    接地線
【図１】
2006162237.tif 000003
【図２】
2006162237.tif 000004
【図３】
2006162237.tif 000005
【図４】
2006162237.tif 000006